(57)【要約】【課題】  風胴の外部での邪魔にならず、良好な制風効果を奏し得る制風装置を提供する。【解決手段】  風胴１５の軸線方向Ｆ−Ｂに沿って移動することにより該風胴１５の端部１５ｆに形成された吐風口１２の開口面積を可変とする制風板２８を、常に前記風胴１５の外周面３２より内側に位置するように配設した。具体的には、前記制風板２８を、前記風胴１５の内周面３３を形成する内壁３４と、前記風胴１５の前記外周面３２を形成する外壁３５と、の間の空間部Ｓ内に配設した。よって、前記制風板２８が、前記風胴１５の外部でも内部でも邪魔になることがない。【選択図】    図２
2006198514.tif 000002
【特許請求の範囲】
【請求項１】
風胴（１５）の軸線方向（Ｆ−Ｂ）に沿って移動することにより該風胴（１５）の端部（１５ｆ）に形成された吐風口（１２）の開口面積を可変とする制風板（２８）が、常に前記風胴（１５）の外周面（３２）より内側に位置するように配設されている、制風装置。
【請求項２】
前記制風板（２８）が、前記風胴（１５）の内周面（３３）を形成する内壁（３４）と、前記風胴（１５）の前記外周面（３２）を形成する外壁（３５）と、の間の空間部（Ｓ）内に引き込み自在とされている、請求項１に記載の制風装置。
【請求項３】
前記制風板（２８）が、前記内壁（３４）の外表面（３６）に接触した状態で前記風胴（１５）の軸線方向（Ｆ−Ｂ）に沿って摺動自在とされている、請求項２に記載の制風装置。
【請求項４】
前記制風板（２８）を駆動する駆動機構（３８）を備え、該駆動機構（３８）も、常に前記風胴（１５）の前記外周面（３２）より内側に位置するように配設されている、請求項１，２又は３に記載の制風装置。
【請求項５】
前記駆動機構（３８）が、前記風胴（１５）の内周面（３３）を形成する内壁（３４）と、前記風胴（１５）の前記外周面（３２）を形成する外壁（３５）と、の間の空間部（Ｓ）内に配設されている、請求項４に記載の制風装置。
【請求項６】
風胴（１５）の端部（１５ｆ）に形成された吐風口（１２）に沿って噴霧ノズル（１３）を備え、前記風胴（１５）内に配設された動翼（１６）の回転により前記吐風口（１２）から気流を噴出せしめて前記噴霧ノズル（１３）からの噴霧粒子を拡散せしめるスプレーヤ（１）であって、前記風胴（１５）の軸線方向（Ｆ−Ｂ）に沿って移動することにより前記吐風口（１２）の開口面積を可変とする制風板（２８）が、常に前記風胴（１５）の外周面（３２）より内側に位置するように配設されている、スプレーヤ。
【請求項７】
前記制風板（２８）が、前記吐風口（１２）への突出状態において、前記噴霧ノズル（１３）より内側に位置している、請求項６に記載のスプレーヤ。
【発明の詳細な説明】
【技術分野】
【０００１】
本発明は、風胴の端部に形成された吐風口の開口面積を必要に応じて変更せしめるため、該吐風口の少なくとも一部からの気流の噴出を遮るための制風装置に関するものである。本発明はまた、該制風装置を有するスプレーヤに関するものである。
【背景技術】
【０００２】
果樹園等において薬液等を広範囲にわたって効率的に散布するためのスプレーヤとして、走行機体に搭載された軸流送風機の風胴前端部の円弧状吐風口に沿って多数の噴霧ノズルを備えたスピードスプレーヤが知られている。該スピードスプレーヤによれば、前記噴霧ノズルから噴霧された噴霧粒子が、前記吐風口から前記機体の上方及び左右側方へと放射状に吐出せしめられる気流によって、広角に且つ遠方まで拡散散布せしめられる。
【０００３】
ところで、野菜や果物等の食用作物栽培の分野では、隣接して栽培されている作物群同士の間で、その一方の作物群へのみ特定種類の薬液を散布し、他方の作物群への前記特定種類の薬液の飛散を避けなければならない場合がある。例えば、前記一方の作物群には使用が許可されているが、前記他方の作物群には使用が禁止されている農薬を散布する場合や、前記一方の作物群は農薬使用を前提とした作物であるが、前記他方の作物群は、無農薬栽培の作物である場合等である。また、農地に隣接して住宅がある場合にも、住宅方向への薬液飛散を避けなければならない。
【０００４】
また、低木性果樹の防除の場合には、前記機体の上方への噴霧は、防除上あまり効果的でないばかりか、前記吐風口から上方へ向けて吐出される気流によって、すでに散布されて樹葉に付着している防除液が吹き飛ばされる等の問題もある。
【０００５】
そこで、前記スピードスプレーヤにおいて、前記吐風口の周方向の一部の角度範囲を開閉する風防カバーを、上方及び左右の各群ごとに散布を制御し得る複数の噴霧ノズル群のそれぞれに対応させて配設し、前記各風防カバーを、前記風胴の外表面に前後方向に延びるようにそれぞれ取着されたスライドレールに沿って前後にスライドさせることにより、前記吐風口の一部を閉じて、特定方向への噴霧及び送風を停止可能とせしめたものが提案されている（特許文献１参照）。
【特許文献１】実開昭６３−５１６７３号公報
【発明の開示】
【発明が解決しようとする課題】
【０００６】
しかしながら、前記従来のものにおいては、前記スライドレール及び前記風防カバーが、常に前記機体の外部に突出している。このため、果樹園の樹木の枝下を縫うように前記機体を走行させる場合に、前記スライドレール及び前記風防カバーが樹木の枝や葉に引っ掛かり易く、樹木や果樹を傷つけ易い等の問題があった。
【０００７】
本発明は、前記事情に鑑みてなされたもので、風胴の外部での邪魔にならず、良好な制風効果を奏し得る、制風装置を提供しようとするものである。
【０００８】
本発明はまた、前記制風装置を有するスプレーヤを提供しようとするものである。
【課題を解決するための手段】
【０００９】
前記課題を解決するため、本発明に係る制風装置は、風胴の軸線方向に沿って移動することにより該風胴の端部に形成された吐風口の開口面積を可変とする制風板が、常に前記風胴の外周面より内側に位置するように配設されたことを特徴としている（請求項１）。
【００１０】
本発明によれば、前記制風板が、前記風胴の軸線方向に沿って移動することにより、前記吐風口が開閉せしめられ、開口面積が変更される。そして、前記制風板は、常に前記風胴の外周面より内側に位置するように配設されているので、前記風胴の外部で邪魔になることがない。
【００１１】
好適な実施の一形態として、前記制風板が、前記風胴の内周面を形成する内壁と、前記風胴の前記外周面を形成する外壁と、の間の空間部内に引き込み自在とされたものとすることもできる（請求項２）。このようにすれば、前記制風板が、前記風胴の内部でも邪魔になることがなく、一層好適である。
【００１２】
好適な実施の一形態として、前記制風板が、前記内壁の外表面に接触した状態で前記風胴の軸線方向に沿って摺動自在とされたものとすることもできる（請求項３）。この場合、前記内壁の前記外表面が、前記制風板を案内することになり、該制風板の収納スペースが可及的に小さくできて、なお一層好適である。
【００１３】
他の実施の一形態として、前記制風板を駆動する駆動機構を備え、該駆動機構も、常に前記風胴の前記外周面より内側に位置するように配設されたものとすることもできる（請求項４）。このようにすれば、前記吐風口の開閉が動力的に行われ、且つ、前記駆動機構も前記風胴の外部で邪魔になることがなく、さらに好適である。
【００１４】
好適な実施の一形態として、前記駆動機構が、前記風胴の内周面を形成する内壁と、前記風胴の前記外周面を形成する外壁と、の間の空間部内に配設されたものとすることもできる（請求項５）。このようにすれば、前記駆動機構が、前記風胴の内部でも邪魔になることがなく、一層好適である。
【００１５】
一方、本発明に係るスプレーヤは、風胴の端部に形成された吐風口に沿って噴霧ノズルを備え、前記風胴内に配設された動翼の回転により前記吐風口から気流を噴出せしめて前記噴霧ノズルからの噴霧粒子を拡散せしめるスプレーヤであって、前記風胴の軸線方向に沿って移動することにより前記吐風口の開口面積を可変とする制風板が、常に前記風胴の外周面より内側に位置するように配設されたことを特徴とするものである（請求項６）。
【００１６】
好適な実施の一形態として、前記制風板が、前記吐風口への突出状態において、前記噴霧ノズルより内側に位置しているものとすることもできる（請求項７）。このようにすれば、前記制風板が前記吐風口へ突出した状態で前記噴霧ノズルからの噴霧を開始した場合でも、前記制風板が噴霧を直接受けてしまうようなことがない。また、前記制風板の前記吐風口への突出量を調整することで、前記吐風口の開口面積、すなわち、吐風量を調整し、前記噴霧ノズルからの噴霧粒子の拡散距離を制御して散布パターンを変更することも可能となり、好適である。
【発明を実施するための最良の形態】
【００１７】
以下、添付図面を参照して、本発明を実施するための最良の形態について説明する。以下の実施の形態は、果樹園等で防除液等の大規模散布を効率的に行うのに適した、走行式の噴霧装置（スプレーヤ）であるスピードスプレーヤについて、本発明を適用したものである。
【００１８】
図１は、本発明の実施の一形態に係る制風装置を備えたスピードスプレーヤを左斜め後方から見た斜視図、図２は、左側面要部の拡大縦断面図である。
【００１９】
図１において、スピードスプレーヤ１の機体２は、左右一対の操向前輪３，３と、左右一対の駆動後輪４，４と、で走行自在に支持されている。前記スピードスプレーヤ１には、その前部から後部へ向けて、ステアリングハンドル５や図示しない各種の操作レバー及び運転席６等を含む操縦部７と、薬液等の散布液を収容する大容量の液体タンク８と、走行駆動源としての内燃エンジン９等を含む駆動部１０と、送風噴霧部１１と、が、順に前記機体２に対して固定的に装備されている。
【００２０】
該送風噴霧部１１は、前記駆動部１０の後面との間に前記機体２の進行方向Ｆに向かって見て円弧状に形成された吐風口１２と、該吐風口１２に沿って前記スピードスプレーヤ１の上方及び左右側方へ向けて多数配設された噴霧ノズル１３と、該噴霧ノズル１３から噴霧された噴霧粒子を前記吐風口１２から上方及び左右側方へ向けて放射状に拡散せしめるための気流を創出する手段としての軸流送風機１４と、を備えている。
【００２１】
図２に示すように、前記軸流送風機１４は、前記機体２の前後方向Ｆ−Ｂに沿って延びる軸線Ｘを有する風胴１５と、該風胴１５内に回転自在に支持された動翼（羽根車）１６と、前記風胴１５内において前記動翼１６の送風風下側となる前方に固定された整流用の固定翼１７と、を備えている。該固定翼１７と前記吐風口１２との間には、該吐風口１２へ向けて気流を前記軸線Ｘに直角な方向へと円滑に案内するベルマウス状のエアガイド１８，１９が所定数配設されている。前記動翼１６の回転軸２０は、前記機体２の前方Ｆへ向かって延び出し、前記固定翼１７のハブ２１の中央開口部を貫通して、例えば、前記内燃エンジン９に駆動上連結されている。前記風胴１５の後部に大きく開口した吸気口２２は、安全用の吸気口グリッド２３で覆われ、該吸気口グリッド２３の内面（前面）中央部には、その開口部２４を前記動翼１６のハブ２５側へ向けてた椀状の固定式スピンナー２６が固着されている。該固定式スピンナー２６の外径は、前記動翼１６の前記ハブ２５の外径と、ほぼ同一とされている。
【００２２】
前記軸流送風機１４において、前記内燃エンジン９によって前記動翼１６が回転駆動されると、前記吸気口２２から前記風胴１５内に空気が吸い込まれる。この空気は、前記固定翼１７で整流され、且つ、前記エアガイド１８，１９に案内されながら、前記風胴１５の端部（前端部）１５ｆに形成された前記吐風口１２から高速気流となって、前記スピードスプレーヤ１の上方及び左右側方へと放射状に吐出される。このため、前記各噴霧ノズル１３から上方および前記スピードスプレーヤ１の左右側方へ向けて噴霧された噴霧粒子が、樹木の葉等へ向けて、より広範囲に、且つより遠くへと拡散せしめられる。
【００２３】
図１に示すように、前記送風噴霧部１１には、本発明の実施の一形態に係る制風装置２７が配設されている。該制風装置２７は、予め定められた一定の開口面積を有する前記吐風口１２の一部を制風板２８によって必要に応じて閉塞する等して開口面積を減少せしめ、噴霧粒子が遠くまで飛散して欲しくない方向への気流の噴出を抑制せしめるためのものである。
【００２４】
本実施の形態では、前記噴霧ノズル１３を多数有するノズル管が、前記吐風口１２の上部に沿って左右方向に延びる上部ノズル管２９と、前記吐風口１２の左部に沿って上下方向に延びる左側ノズル管３０と、前記吐風口１２の右部に沿って上下方向に延びる右側ノズル管３１と、に三分割され、それぞれが前記噴霧ノズル１３を複数有する各分割ノズル管２９，３０，３１ごとに、前記操縦部７より、散布液の供給が制御可能とされている。
【００２５】
前記制風板２８は、前記各分割ノズル管２９，３０，３１に対応して、前記吐風口１２の上部と、左部と、右部とに、それぞれ配設されており、それぞれが独立して前記風胴１５の前後軸線方向Ｆ−Ｂに沿って移動することにより、円弧状の前記吐風口１２の周方向における所定の角度範囲を開閉する。前記各制風板２８は、前記吐風口１２の扇形湾曲形状に対応して、適宜湾曲せしめられている。前記各制風板２８としては、薄い鋼板や、耐薬品性及び耐摩耗性に優れたプラスチック板等を採用することができる。
【００２６】
前記各制風板２８の配設構造及び駆動方法は、前記吐風口１２の上部、左部及び右部において、互いに同一である。そこで、以下、図２を参照して、前記吐風口１２の上部の制風板２８について、詳細に説明する。
【００２７】
前記制風板２８は、前記吐風口１２を閉じる（開口面積を減じる）使用時状態でも、前記吐風口１２を全開放する収納時状態でも、常に前記風胴１５の外周面３２より内側に位置するように、前記風胴１５の内周面３３を形成する内壁３４と、前記風胴１５の前記外周面３２を形成する外壁３５と、の間の空間部Ｓ内に配設されている。前記制風板２８は、前記収納時状態においては、前記風胴１５の前記空間部Ｓ内にその全体が収納されて前記風胴１５の外部からは全く見えなくなり、前記使用時状態においてのみ、前記風胴１５の前記外周面３２より内側位置で、前記吐風口１２を閉じる方向に延在する。よって、前記スピードスプレーヤ１が、丈の低い樹木の中を縫うように走行する場合でも、前記制風板２８によって枝葉が損傷してしまう等の問題がない。また、前記制風板２８は、前記風胴１５の内部においても、送風の邪魔になるようなこともない。
【００２８】
本実施の形態では、前記制風板２８が、前記風胴１５の前記内壁３４の外表面３６に接触した状態で、前記風胴１５の前後軸線方向Ｆ−Ｂに沿って摺動自在とされている。したがって、前記制風板２８の前後移動が前記外表面３６をガイドとして円滑且つ確実に行われるほか、前記制風板２８の収納スペースが可及的に小さくできる。前記風胴２８の前記内壁３４の前記外表面３６には、例えば、前記制風板２８の摺動方向Ｆ−Ｂの左右両縁を摺動自在且つ離脱不能に保持する左右一対のガイドレール３７，３７等を配設しておくこともできる。
【００２９】
前記制風板２８は、前記吐風口１２への突出状態において、前記噴霧ノズル１３より前記機体２の内側寄りに位置する。よって、前記制風板２８を前記吐風口１２内へと突出させた状態で、誤って、前記噴霧ノズル１３からの噴霧を開始させてしまった場合でも、前記制風板２８が前記噴霧ノズル１３からの高圧噴射を直接受けてしまうことによる、内部風路の汚損等の心配がない。
【００３０】
前記各制風板２８は、手動開閉式とすることもできるが、本実施の形態では、動力駆動式とされている。すなわち、前記各制風板２８を駆動するアクチュエータとして、電動式の直線動アクチュエータ３８を採用し、該各直線動アクチュエータ３８を、前記操縦部７に配設された操作盤３９（図１参照）上の操作スイッチ等の適宜の操作手段によって、遠隔操作できるようになっている。
【００３１】
前記制風板２８の駆動機構を構成する前記直線動アクチュエータ３８も、常に前記風胴１５の前記外周面３２より内側に位置するように、前記空間部Ｓ内に配設されている。具体的には、前記直線動アクチュエータ３８は、前記空間部Ｓ内に、前記機体２の前後方向Ｆ−Ｂに延びるようにして配設されている。前記直線動アクチュエータ３８の出入ロッド４０の先端部（前端部）４０ａは、前記制風板２８の左右幅方向の中央部の前端部にピン４１で連結され、前記直線動アクチュエータ３８のシリンダ部４２の基端部（後端部）４２ａは、前記風胴１５の前記内壁３４の前記外表面３６にピン４３で連結されている。
【００３２】
図２において、符号４４は、前記風胴１５の前記外周面３２の一部にその周方向に沿って延びるように形成された、散布液補給用ホースＨの巻き掛け溝である。
【００３３】
前記構成において、例えば、前記機体２の上方への防除液の噴霧が樹木の丈との関係で効果を奏しにくい低木性果樹の防除を行う場合等、前記機体２の上方へは噴霧を及ぼしたくないような事情がある場合には、運転者は、給液経路制御操作によって、前記上部ノズル管２９への散布液の供給のみを停止せしめる。併せて、運転者は、前記操作盤３９の前記操作スイッチを操作し、前記直線動アクチュエータ３８を伸長方向へと駆動せしめて、前記吐風口１２の上部を前記制風板２８で左右側方への散布に悪影響を与えない適度の範囲を覆う様に、位置を保持せしめる。これにより、前記吐風口１２の上部からの気流の噴出が抑制せしめられる。このため、前記機体２の上方への不要な送風により、すでに散布されて樹葉に付着している防除液が吹き飛ばされる等の問題がない。
【００３４】
同様に、例えば、噴霧作業現場に隣接して民家がある場合等、前記機体２の左方又は右方へは噴霧を及ぼしたくないような事情がある場合には、運転者は、給液経路制御操作によって、前記左側ノズル管３０又は前記右側ノズル管３１への散布液の供給のみを停止せしめる。併せて、運転者は、左側制風板２８を駆動する直線動アクチュエータ３８の操作スイッチ又は右側制風板２８を駆動する直線動アクチュエータ３８の操作スイッチを操作し、前記吐風口１２の左部又は右部を前記制風板２８で覆う。これにより、前記吐風口１２の左部又は右部からの気流の噴出が抑制せしめられる。このため、前記上部ノズル管２９の前記噴霧ノズル１３からの噴霧が、前記機体２の左方又は右方への不要な送風により、噴霧を及ぼしたくない前記機体２の左方又は右方へと飛散せしめられることが防止される。
【００３５】
なお、前記制風装置２７によれば、前記運転席６で前記操作盤３９を操作することで、前記機体２の前後方向Ｆ−Ｂにおける前記吐風口１２の実効開口幅（面積）の調整が可能であり、したがって、前記制風板２８により、前記吐風口１２からの吐風量を調整することもできる。よって、前記制風板２８の外側に位置する前記噴霧ノズル１３からの噴霧を継続した状態で、該噴霧ノズル１３に対応する位置にある前記制風板２８の前記吐風口１２への突出量を調整することで、噴霧粒子の飛散距離を自在に制御することが可能となる。
【００３６】
本実施の形態では、前記制風板２８を、前記吐風口１２の上部、左部及び右部に合計三枚配設しているが、これには限定されず、その配設数及び前記吐風口１２における配設角度位置は、適宜に変更することができる。
【００３７】
また、前記制風板２８の前端部に、前記吐風口１２や前記エアガイド１８のベルマウス形状に合わせたカバー（図示せず）を配設せしめれば、送風性状を乱すことがなく、また、前記吐風口１２を全開（前記制風板２８を前記空間部Ｓ内に完全に引き込んだ）時には、前記空間部Ｓを効果的にシールでき、一層好適である。
【図面の簡単な説明】
【００３８】
【図１】本発明の実施の一形態に係る制風装置を備えたスピードスプレーヤを左斜め後方から見た斜視図である。
【図２】左側面要部の拡大縦断面図である。
【符号の説明】
【００３９】
１      スプレーヤ（スピードスプレーヤ）
１２    吐風口
１３    噴霧ノズル
１５    風胴
１５ｆ  風胴の端部（前端部）
１６    動翼
２８    制風板
３２    風胴の外周面
３３    風胴の内周面
３４    風胴の内壁
３５    風胴の外壁
３６    内壁の外表面
３８    駆動機構（直線動アクチュエータ）
Ｆ−Ｂ  風胴の（前後）軸線方向
Ｓ      風胴の内外壁間の空間部
【図１】
2006198514.tif 000003
【図２】
2006198514.tif 000004